(57)【要約】【課題】幅の異なる２枚のカードを同一のカード挿入口に挿入するコネクタにおいて、幅の狭いＩＣカードを挿入したときのみスイッチがオンするようにしたものを提供すること。【解決手段】広幅の第１のＩＣカードと狭幅の第２のＩＣカードを同一のカード挿入口に挿抜可能なハウジングと、これらの第１、第２のＩＣカードの電極に接離するカード用コンタクトを具備したＩＣカード用コネクタにおいて、挿入されたＩＣカードにより可動側の開閉端子を固定側の開閉端子に接触するスイッチを設け、固定側の開閉端子に、第２のＩＣカードの挿入時に可動側の開閉端子の接触可動片を可動してスイッチをオンする接触部と、第１のＩＣカードの挿入時に広幅の側縁部に接触して可動側の開閉端子の接触可動片に接触できない位置まで逃がすための押圧部を形成する。【選択図】図１
2008021510.tif 000002
【特許請求の範囲】
【請求項１】
外形が大小の２種類の第１及び第２のＩＣカードを同一のカード挿入口に挿抜可能なハウジングと、このハウジング内に設けられ、前記第１、第２のＩＣカードの電極に接離するカード用コンタクトとを具備したＩＣカード用コネクタにおいて、前記ハウジング内に挿入された前記ＩＣカードにより可動側の開閉端子を可動して固定側の開閉端子に接触するスイッチを設け、外形の大きな前記第１のＩＣカードの挿入時に前記スイッチがオンしないように、前記固定側の開閉端子を前記可動側の開閉端子の可動ストローク以上に逃がし、外形の小さな前記第２のＩＣカードの挿入時に前記スイッチがオンするように、前記可動側の開閉端子を可動せしめたことを特徴とするＩＣカード用コネクタ。
【請求項２】
少なくともいずれか一方の側縁が段差のある広幅の側縁部と狭幅の側縁部を持って形成された第１のＩＣカード及び側縁が前記第１のＩＣカードの広幅の側縁部よりも狭い幅の側縁部を持って形成された第２のＩＣカードを同一のカード挿入口に挿抜可能なハウジングと、このハウジング内に設けられ、前記第１、第２のＩＣカードの電極に接離するカード用コンタクトを具備したＩＣカード用コネクタにおいて、前記ハウジング内に挿入された前記ＩＣカードにより可動側の開閉端子を固定側の開閉端子に接触するスイッチを設け、前記固定側の開閉端子に、前記第２のＩＣカードの挿入時に前記可動側の開閉端子の接触可動片を可動してスイッチをオンする接触部と、前記第１のＩＣカードの挿入時に前記第１のＩＣカードの広幅の側縁部に接触して前記可動側の開閉端子の接触可動片に接触できない位置まで逃がすための押圧部を形成したことを特徴とするＩＣカード用コネクタ。
【請求項３】
両側縁が段差のある広幅の側縁部と狭幅の側縁部を持って形成された第１のＩＣカード及び両側縁が前記第１のＩＣカードの狭幅の側縁部と略等しい幅の側縁部を持って形成された第２のＩＣカードを同一のカード挿入口に挿抜可能なハウジングと、このハウジング内に設けられ、前記第１、第２のＩＣカードの電極に接離するカード用コンタクトを具備したＩＣカード用コネクタにおいて、前記ハウジング内に挿入された前記ＩＣカードにより可動側の開閉端子を固定側の開閉端子に接触するスイッチを設け、前記可動側の開閉端子は、前記第１のＩＣカードの狭幅の側縁部と前記第２のＩＣカードの側縁部により前記固定側の開閉端子の接触部側に押し出される接触可動片と、前記第１のＩＣカードの広幅の側縁部を押圧してこの第１のＩＣカードの位置保持をする接触可動片とを備え、前記固定側の開閉端子は、前記第２のＩＣカードの挿入時に前記可動側の開閉端子の接触可動片を可動してスイッチをオンする接触部と、前記第１のＩＣカードの挿入時に前記第１のＩＣカードの広幅の側縁部に接触して前記可動側の開閉端子の接触可動片に接触できない位置まで逃がすための押圧部を備えたことを特徴とするＩＣカード用コネクタ。
【請求項４】
可動側の開閉端子は、ハウジングに固定する係止片部と、この係止片部から一体に伸び、固定側の接触部に接離する接触可動片と、この接触可動片から一体に枝分かれし、前記第１のＩＣカードの広幅の側縁部を押圧する接触可動片とからなり、固定側の開閉端子は、ハウジングに固定する係止片部と、この係止片部から一体に伸び、Ｌ字形に折曲した可動片と、この可動片の端部に形成され、可動側の開閉端子の接触可動片に接離する接触部と、この接触部から位置をずらして形成された押圧部とからなることを特徴とする請求項２又は３記載のＩＣカード用コネクタ。
【請求項５】
固定側の開閉端子における可動側の開閉端子の接触可動片に接離する接触部と、この接触部から位置をずらして形成された押圧部との間隔は、第１のＩＣカードの広幅の側縁部と第２のＩＣカードの側縁部との間隔よりも十分短く設定したことを特徴とする請求項４記載のＩＣカード用コネクタ。
【発明の詳細な説明】
【技術分野】
【０００１】
本発明は、形状に大小のある、特に幅の異なる２種類のＩＣカードを挿入して内部のコンタクトに接続するＩＣカード用コネクタであって、小さいＩＣカードを挿入したときのみスイッチがオンするようにしたＩＣカード用コネクタに関するものである。
【背景技術】
【０００２】
１つのＩＣカード用コネクタに複数種類のＩＣカードを挿入可能にしたＩＣカード用コネクタが種々提案されており、図８に示したものもその一種類である（特許文献１）。
図８に示したものは、幅が広くて長さが短い第１のＩＣカード１１と、幅が狭くて長さが長いＩＣカード１２と、第１のＩＣカード１１と厚さの異なるＩＣカード（図示せず）と、第１のＩＣカード１１より幅の広いＩＣカード（図示せず）との４種類に対応可能なものを示している。
【０００３】
図８は、前記幅が広くて長さが短い第１のＩＣカード１１と、幅が狭くて長さが長い第２のＩＣカード１２の２種類のカードを挿入した例を示している。
これらのうち幅が広くて長さが短い第１のＩＣカード１１をカード挿入口１３に挿入すると、挿入の途中では、挿入終了判別端子１の先端の凸部２が押されて、挿入終了判別端子１が接触状態にあり、このときは、読み込みや書き込みの動作を行わないようになっている。この第１のＩＣカード１１の左先端がストッパ６に当たった段階で、もう一つの挿入終了判別端子４の先端の凸部５が押されて接触状態になるが、同時に、挿入終了判別端子１の凸部２は、第１のＩＣカード１１の溝３に奥まで挿入されることで接触状態から離反し、この状態で挿入終了となる。挿入終了時点で図示しないコンタクトと第１のＩＣカード１１の電極１６が接触し、読み込みや書き込みが行われる。
幅が狭くて長さが長い第２のＩＣカード１２をカード挿入口１３に挿入すると、挿入の途中で第２のＩＣカード１２の電極が第１のＩＣカード１１のためのコンタクトに接触する恐れがあったとしても、挿入終了判別端子１と挿入終了判別端子４はオンすることがないので、読み込みや書き込みが行われない。この第２のＩＣカード１２の先端をカード挿入口１３の奥まで挿入した時点で、コンタクト１５と第２のＩＣカード１２の図示しない電極が接触し、読み込みや書き込みが行われる。
【特許文献１】特開２００３−１３２９７８号公報
【発明の開示】
【発明が解決しようとする課題】
【０００４】
ハウジング内にカードの挿抜でスイッチがオン、オフするスイッチを有する構造のコネクタにおいて、幅の狭い第２のＩＣカードを挿入したときにこれらのスイッチがオンするように構成した場合、幅の広い第１のＩＣカードを挿入したときにもこれらのスイッチがオンする。
本発明の解決しようとする問題点は、幅の異なる複数枚のカードを同一のカード挿入口に挿入するタイプのコネクタでは、幅の狭い第２のＩＣカードを挿入したときのみスイッチがオンするように構成することが構造上困難であるか、構成が極めて複雑になる、ということである。
【０００５】
本発明は、幅の異なる複数枚のカードを同一のカード挿入口に挿入するタイプのコネクタにおいて、簡単な構成によって、幅の狭い第２のＩＣカードを挿入したときのみスイッチがオンするようにしたものを提供することを目的とする。
【課題を解決するための手段】
【０００６】
本発明は、側縁が段差のある広幅の側縁部と狭幅の側縁部を持って形成された第１のＩＣカード及び側縁が前記第１のＩＣカードの広幅の側縁部よりも狭い幅の側縁部を持って形成された第２のＩＣカードを同一のカード挿入口に挿抜可能なハウジングと、このハウジング内に設けられ、前記第１、第２のＩＣカードの電極に接離するカード用コンタクトを具備したＩＣカード用コネクタにおいて、前記ハウジング内に挿入された前記ＩＣカードにより可動側の開閉端子を固定側の開閉端子に接触するスイッチを設け、前記固定側の開閉端子に、前記第２のＩＣカードの挿入時に前記可動側の開閉端子の接触可動片を可動してスイッチをオンする接触部と、前記第１のＩＣカードの挿入時に前記第１のＩＣカードの広幅の側縁部に接触して前記可動側の開閉端子の接触可動片に接触できない位置まで逃がすための押圧部を形成したことを特徴とする。
【０００７】
また、可動側の開閉端子は、ハウジングに固定する係止片部と、この係止片部から一体に伸び、固定側の接触部に接離する接触可動片と、この接触可動片から一体に枝分かれし、前記第１のＩＣカードの広幅の側縁部を押圧する接触可動片とからなり、固定側の開閉端子は、ハウジングに固定する係止片部と、この係止片部から一体に伸び、Ｌ字形に折曲した可動片と、この可動片の端部に形成され、可動側の開閉端子の接触可動片に接離する接触部と、この接触部から位置をずらして形成された押圧部とからなることを特徴とする。
【発明の効果】
【０００８】
請求項１記載の発明によれば、外形が大小の２種類の第１及び第２のＩＣカードを同一のカード挿入口に挿抜可能なハウジングと、これらの第１、第２のＩＣカードの電極に接離するカード用コンタクトとを具備したＩＣカード用コネクタにおいて、前記ハウジング内に挿入された前記ＩＣカードにより可動側の開閉端子を可動して固定側の開閉端子に接触するスイッチを設け、外形の大きな前記第１のＩＣカードの挿入時に前記スイッチがオンしないように、前記固定側の開閉端子を前記可動側の開閉端子の可動ストローク以上に逃がし、外形の小さな前記第２のＩＣカードの挿入時に前記スイッチがオンするように、前記可動側の開閉端子を可動せしめたので、簡単な構成により、大きな第１のＩＣカードではスイッチがオン、オフ動作せず、小さな第２のＩＣカードのみでスイッチをオン、オフ動作させることができる。
【０００９】
請求項２記載の発明によれば、少なくともいずれか一方の側縁が段差のある広幅の側縁部と狭幅の側縁部を持って形成された第１のＩＣカードと、側縁が前記第１のＩＣカードの広幅の側縁部よりも狭い幅の側縁部を持って形成された第２のＩＣカードの構造上の相違点を利用して、より確実に小さな第２のＩＣカードのみでスイッチをオン、オフ動作させることができる。
【００１０】
請求項３記載の発明によれば、可動側の開閉端子は、第１のＩＣカードの狭幅の側縁部と第２のＩＣカードの側縁部により固定側の開閉端子の接触部側に押し出される接触可動片と、第１のＩＣカードの広幅の側縁部を押圧してこの第１のＩＣカードの位置保持をする接触可動片とを備えたので、第１のＩＣカードを挿入した時の位置が正しく保持されて第１のＩＣカードによりスイッチがオンされることを確実に防止できる。
【００１１】
請求項４記載の発明によれば、可動側の開閉端子は、ハウジングに固定する係止片部と、この係止片部から一体に伸び、固定側の接触部に接離する接触可動片と、この接触可動片から一体に枝分かれし、第１のＩＣカードの広幅の側縁部を押圧する接触可動片とからなり、固定側の開閉端子は、ハウジングに固定する係止片部と、この係止片部から一体に伸び、Ｌ字形に折曲した可動片と、この可動片の端部に形成され、可動側の開閉端子の接触可動片に接離する接触部と、この接触部から位置をずらして形成された押圧部とからなるので、スイッチの各部品を簡単なプレス加工で構成できるとともに、組み立ても簡単になる。
【００１２】
請求項５記載の発明によれば、固定側の開閉端子における可動側の開閉端子の接触可動片に接離する接触部と、この接触部から位置をずらして形成された押圧部との間隔は、第１のＩＣカードの広幅の側縁部と第２のＩＣカードの側縁部との間隔よりも十分短く設定したので、大きな第１のＩＣカードの挿入では、固定側の開閉端子をより大きく逃がし、可動側の開閉端子がオンするのを防止できる。
【発明を実施するための最良の形態】
【００１３】
本発明は、外形が大小２種類の第１及び第２のＩＣカードを同一のカード挿入口に挿抜可能なハウジングと、このハウジング内に設けられ、前記第１、第２のＩＣカードの電極に接離するカード用コンタクトとを具備したＩＣカード用コネクタにおいて、前記ハウジング内に挿入された前記ＩＣカードにより可動側の開閉端子を可動して固定側の開閉端子に接触するスイッチを設け、外形の大きな前記第１のＩＣカードの挿入時に前記スイッチがオンしないように、前記固定側の開閉端子を前記可動側の開閉端子の可動ストローク以上に逃がし、外形の小さな前記第２のＩＣカードの挿入時に前記スイッチがオンするように、前記可動側の開閉端子を可動せしめた構成とする。
【００１４】
第１のＩＣカードは、少なくともいずれか一方の側縁が段差のある広幅の側縁部と狭幅の側縁部を持って形成されたもの、より具体的には、両側縁が段差のある広幅の側縁部と狭幅の側縁部を持って形成されたものである。
第２のＩＣカードは、側縁が前記第１のＩＣカードの広幅の側縁部よりも狭い幅の側縁部を持って形成されたもの、より具体的には、両側縁が前記第１のＩＣカードの狭幅の側縁部と略等しい幅の側縁部を持って形成されたものである。
【００１５】
スイッチは、前記ハウジング内に挿入された前記ＩＣカードにより可動側の開閉端子を固定側の開閉端子からなり、前記可動側の開閉端子は、ハウジングに固定する係止片部と、この係止片部から一体に伸び、固定側の接触部に接離する接触可動片と、この接触可動片から一体に枝分かれし、前記第１のＩＣカードの広幅の側縁部を押圧する接触可動片とからなり、前記固定側の開閉端子は、ハウジングに固定する係止片部と、この係止片部から一体に伸び、Ｌ字形に折曲した可動片と、この可動片の端部に形成され、可動側の開閉端子の接触可動片に接離する接触部と、この接触部から位置をずらして形成された押圧部とからなる。
前記固定側の開閉端子における可動側の開閉端子の接触可動片に接離する接触部と、この接触部から位置をずらして形成された押圧部との間隔は、第１のＩＣカードの広幅の側縁部と第２のＩＣカードの側縁部との間隔よりも十分短く設定することが望ましい。
【実施例１】
【００１６】
本発明のＩＣカード用コネクタに挿抜される外形が大小の２種類のＩＣカードを図４に基づき説明する。
図４（ａ−１）（ａ−２）に示される小さな第２のＩＣカード１２と、図４（ｂ−１）（ｂ−２）（ｂ−３）（ｂ−４）に示される大きな第１のＩＣカード１１とは、長さは同じで、幅は第１のＩＣカード１１の狭幅の側縁部１８と第２のＩＣカード１２の外側縁部とが略同じで、厚さは第１のＩＣカード１１が厚く、第２のＩＣカード１２が薄く、また、第１のＩＣカード１１の電極１６と第２のＩＣカード１２の電極２０は数、形状に違いがある。
さらに詳しくは、前記第１のＩＣカード１１は、長方形をなし、両側に広幅の側縁部１７と狭幅の側縁部１８が段差を持って形成され、前記広幅の側縁部１７の外側面に電極１６が形成され、一方の側縁には２個の切り欠き２４が形成され、他方の側縁には１個の切り欠き２４が形成され、先端部１９の両面はテーパーを有してやや尖っている。
前記第２のＩＣカード１２は、長方形をなし、一方の面に電極２０が形成され、一方の側縁の先端部２２側から途中まで細幅部２１となっており、かつ、１個の切り欠き２４が形成され、先端部２２の片面にテーパーを有してやや尖っている。
このように、第１のＩＣカード１１は、第２のＩＣカード１２よりも幅において大きな形状をなしている。
【００１７】
具体的な寸法は、それぞれ凡そ次の通りである。
前記第１のＩＣカード１１は、長さが１５．０ｍｍ、幅が広幅の側縁部１７で１２．５ｍｍ、狭幅の側縁部１８で１１．０ｍｍ、厚さが１．２ｍｍである。また、前記第２のＩＣカード１２は、長さが１５．０ｍｍ、幅が１１．０ｍｍ、厚さが０．７ｍｍである。これらの数値は、一例であってこれに限定されるものではない。
【００１８】
本発明のＩＣカード用コネクタは、図２に示すハウジング２５と、このハウジング２５に被せるカバー３５とを主たる構成部品とし、その他に、図３（ａ）に示すロック用スライダ３０，ロックピン３１、圧縮ばね３２、図３（ｂ）に示すスペーサ２８，スペーサ用ばね２９、図３（ｃ）に示す開閉端子３３，３４からなるスイッチ９１、さらに図５に示す第１カード用コンタクト２６，第２カード用コンタクト２７とで構成されている。
【００１９】
前記ハウジング２５は、長方形で薄い箱型をなし、具体的には、幅１６．８ｍｍ×長さ１７．０ｍｍ×高さ２．３ｍｍ程度である。このハウジング２５の底板部３８、天板部４２、左側板部４４，右側板部４７の間には前面に開口し、前記第１のＩＣカード１１と第２のＩＣカード１２とが選択的に差し込まれるカード挿入口３６が形成されている。このカード挿入口３６の内側に、前記第１のＩＣカード１１の狭幅の側縁部１８が嵌合する誤挿入防止段部３７が設けられている。前記底板部３８の前面側から中間位置までに所定間隔でコンタクト差し込み溝３９が形成され、それぞれに前記第１のＩＣカード１１の電極１６に接触する第１カード用コンタクト２６が差し込み固定されている。前記天板部４２の両側部には、後述するガイド板部５７が突出するための切り欠き部４３が形成されている。また、底板部３８の後方部には、スペーサ２８の摺動突条部７７が摺動する３本のスペーサガイド溝５１が形成されている。前記ハウジング２５の背板部４０には、後面側から貫通して所定間隔でコンタクト差し込み溝４１が形成され、それぞれに前記第２のＩＣカード１２の電極２０に接触する第２カード用コンタクト２７が差し込み固定されている。
【００２０】
図２において、前記左側板部４４の端子挿入溝４５には、図３（ｃ）に示すスイッチ９１の開閉端子３３の係止片部８１が下側から差し込み固定され、また、端子挿入溝４６には、スイッチ９１の開閉端子３４の係止片部８４が上から差し込み固定される。また、左側板部４４の側面と、後述する右側板部４７の側面にそれぞれ前記カバー３５を係止するための複数個の係止突部５３が形成されている。
前記ハウジング２５の右側板部４７のスライダ嵌合溝４８には、図３（ａ）に示す前記ロック用スライダ３０が摺動自在に嵌合されるとともに、圧縮ばね３２が両端のばね嵌合突部７４、７４間に嵌め込まれてロック用スライダ３０を常時付勢している。前記ロック用スライダ３０は、ハートカム６９と係止突片部７０からなり、ハートカム６９には、公知のハート形の摺動溝６５、ピン係止凹部６６，スタート点６７が設けられ、ロックピン３１の一端部が右側板部４７のロックピン挿入孔４９に差し込まれ、他端部が摺動溝６５に摺動自在に差し込まれている。
前記係止突片部７０には、前記天板部４２のスライダ係合突部５０と係合する係合凹部６８と、この係合凹部６８に隣接して上部に第２のＩＣカード１２の係止部７１、下部に第１のＩＣカード１１の係止部７２が形成され、さらに側方にコンタクト受け部７３が形成されている。
【００２１】
前記スペーサ２８は、図３（ｂ）に示すように、細長角棒状の上面にカード挿入側から傾斜面部７５が形成され、一端部には、垂直な当接部７６が形成され、下面には、前記スペーサガイド溝５１を摺動する摺動突条部７７が設けられ、さらに、カード挿入面の反対側にはばね係止溝７８が形成されている。このばね係止溝７８には、前記スペーサ用ばね２９の両端部７９が移動自在に嵌合し、また、スペーサ用ばね２９の中央部８０は、前記背板部４０のばね係合孔５２に嵌め込まれている。
図３（ｃ）に示したスイッチ９１において、一方の前記可動側の開閉端子３３は、一端部側に端子挿入溝４５に嵌め込み固定するための係止片部８１と、外部への接続用の端子片８８とが形成され、他端部側に途中から上下２つに枝分かれし、前記第１のＩＣカード１１の狭幅の側縁部１８と広幅の側縁部１７にそれぞれ接離する接触可動片８３と接触可動片８２が形成されている。
また、他方の前記固定側の開閉端子３４は、一端部側に端子挿入溝４６に嵌め込み固定するための係止片部８４と、外部への接続用の端子片８９と、ハウジング１０に固定する圧入片９０が形成され、他端部側に途中からＬ字に屈曲した可動片８５が形成され、さらに屈曲した可動片８５の先端部に、前記接触可動片８３と接触可動片８２に対峙して接触部８６と押圧部８７が一体に形成されている。この接触部８６と押圧部８７の間隔は、第１のＩＣカード１１の広幅の側縁部１７と第２のＩＣカード１２の側縁部との距離よりも十分短く、例えば、広幅の側縁部１７と狭幅の側縁部１８の間隔の約半分程度に設定される。
【００２２】
前記カバー３５は、ハウジング２５内に各部品を収納した後に被せるもので、弾性を有する薄い金属板を下向きコ字形に折曲し、カード挿入側の両側部には、弾性を有するように切り溝６４で切り起こされたガイド板部５７がヘ字形に折曲されている。このガイド板部５７には、一体に切り起こされてＶ字形に折曲された位置修正部５８が設けられている。一方の左側板部５５には、前記開閉端子３４の可動片８５が突出するための逃げ孔６１が設けられ、この逃げ孔６１のやや内側に第１のＩＣカード１１の広幅の側縁部１７が乗り上がるガイド部５９が設けられ、このガイド部５９のやや内側に第２のＩＣカード１２の細幅部２１をガイドし、かつ、第２のＩＣカード１２を裏返しに挿入したときのストッパとなるガイド部６０が切り起し形成されている。他方の右側板部５６のやや内側には、前記ロックピン３１の浮き上がりを防止する押圧ばね部６２が切り起して形成されている。前記天板部５４の略中央には、第２カード用コンタクト２７の突出のための逃げ孔６３が形成されている。
【００２３】
以上のように構成されたＩＣカード用コネクタの作用を説明する。
（１−１）幅の狭い第２のＩＣカード１２の正常（電極２０が上向き）状態での挿入
第２のＩＣカード１２を正常（電極２０が上向きで、細幅部２１が挿入方向左側）状態でＩＣカード用コネクタのカード挿入口３６へ挿入すると、第２のＩＣカード１２は、図５（ａ−１）及び図７（ａ）のように、ガイド板部５７に案内されつつ両側の位置修正部５８の間を通り、細幅部２１側の先端部２２がガイド部６０に案内されつつ挿入され、先端部２２が第１カード用コンタクト２６と第２カード用コンタクト２７の間に位置する。このとき、第２のＩＣカード１２は、薄いのでＩＣカード用コネクタの内部で必要以上のクリアランスが生じる。
【００２４】
図１に示すように、先端部２２の右端が係止突片部７０の係止部７１に係合した状態でさらに挿入すると、係止突片部７０と一体のハートカム６９が圧縮ばね３２に抗して移動し、ロックピン３１の先端がスタート点６７から摺動溝６５内を図の左回りに摺動する。第２のＩＣカード１２は、薄く、かつ、細幅部２１を有するので、先端部２２の左端はスペーサ２８の当接部７６に当接することなく、図５（ａ−２）のように、先端部２２が傾斜面部７５を擦りながら乗り上がる。スペーサ２８は、スペーサ用ばね２９によって押圧されているので、もとの位置から移動しない。第２のＩＣカード１２の先端部２２がスペーサ２８の上に乗り上がることで、電極２０は第２カード用コンタクト２７に適正な接触圧で接続される。第２のＩＣカード１２が挿入できる位置まで達すると、ロックピン３１の一端部が摺動溝６５の端部に達するので、押し込み力を抜くと、圧縮ばね３２によりロック用スライダ３０が戻されてロックピン３１の一端部がピン係止凹部６６に係止して第２のＩＣカード１２の挿入状態が保持される。
この挿入状態では、カード挿入孔３６の付近で第２のＩＣカード１２の基端部がガイド板部５７で下方に適正圧力で付勢されている。
このとき、図６（ａ）に示すように、第２のＩＣカード１２の細幅部２１を過ぎた外側縁でスイッチ９１の開閉端子３３の接触可動片８３が押し出されて開閉端子３４の接触部８６に接触して幅の狭い第２のＩＣカード１２を挿入した信号が出力される。
【００２５】
第２のＩＣカード１２を抜き取るときは、第２のＩＣカード１２を再度押し込むと、ロックピン３１の一端部がピン係止凹部６６から外れ、押し込み力を抜くと、他方の摺動溝６５を通り元のスタート点６７に戻って、図５（ａ−１）のように電極２０と第２カード用コンタクト２７の接続から外れる。同時に、接触可動片８３と接触部８６の接続から外れる。
【００２６】
（１−２）第２のＩＣカード１２の異常（電極２０が裏返し）状態での挿入
第２のＩＣカード１２を異常（電極２０が下向きで、細幅部２１が挿入方向右側）状態でＩＣカード用コネクタのカード挿入口３６へ挿入すると、第２のＩＣカード１２は、最初、ガイド板部５７に案内されつつ両側の位置修正部５８の間を通り抜けるが、図７（ａ）の異常時のように、細幅部２１側が位置修正部５８を通り、外側縁が位置修正部５８に達し、細幅部２１と反対側の先端部２２がガイド部６０に当接して第２のＩＣカード１２はそれ以上挿入することができない。
【００２７】
（２−１）幅の広い第１のＩＣカード１１の正常（電極１６が下向き）状態での挿入
第１のＩＣカード１１を正常（電極１６が下向きで、狭幅の側縁部１８が上向き）状態でＩＣカード用コネクタのカード挿入口３６へ挿入すると、第１のＩＣカード１１は、図５（ｂ−１）及び図７（ｂ）のように、誤挿入防止段部３７に嵌合し、狭幅の側縁部１８がガイド板部５７に案内されつつ両側の位置修正部５８の間を通り、また、広幅の側縁部１７が位置修正部５８の下を通り、図１のように、広幅の側縁部１７の先端部２２の右端が係止突片部７０の係止部７２に係合する。このとき、第１のＩＣカード１１は、厚いので内部は適正なクリアランスで移動する。
【００２８】
係合した状態で第１のＩＣカード１１をさらに挿入すると、係止突片部７０と一体のハートカム６９が圧縮ばね３２に抗して移動し、ロックピン３１の先端がスタート点６７から摺動溝６５内を図の左回りに摺動する。第１のＩＣカード１１は、厚く、かつ、第２のＩＣカード１２と異なり細幅部２１を有しないので、先端部１９の左端がスペーサ２８の当接部７６に当接しつつ、図５（ｂ−２）のように、先端部１９でスペーサ２８を押しながらスペーサ用ばね２９に抗してスペーサ２８を押し込む。
この挿入状態では、カード挿入孔３６の付近で第１のＩＣカード１１の基端部がガイド板部５７で下方に適正圧力で付勢されている。
このとき、図６（ｂ）に示すように、幅の広い第１のＩＣカード１１の広幅の側縁部１７がスイッチ９１の開閉端子３３の接触可動片８２を広げつつ第１のＩＣカード１１の正確な位置決めをしながらさらに挿入されると、広幅の側縁部１７が開閉端子３４の押圧部８７に係合して可動片８５を外側に逃げさせる。この状態で第１のＩＣカード１１の狭幅の側縁部１８が開閉端子３３の接触可動片８３に接して接触可動片８３が外側にやや移動するが、接触可動片８３が押し出される前に接触部８６がそれ以上に逃げており、接触可動片８３が開閉端子３４の接触部８６に接触することはなく、幅の広い第１のＩＣカード１１を挿入しても信号が出力されない。
第１のＩＣカード１１をスペーサ２８とともに移動することで、電極１６は第１カード用コンタクト２６に適正な接触圧で接続される。第１のＩＣカード１１が挿入できる位置まで達すると、ロックピン３１の一端部が摺動溝６５の端部に達するので、押し込み力を抜くと、圧縮ばね３２によりロック用スライダ３０が戻されてロックピン３１の一端部がピン係止凹部６６に係止して第１のＩＣカード１１の挿入状態が保持される。
【００２９】
第１のＩＣカード１１を抜き取るときは、第１のＩＣカード１１を再度押し込むと、ロックピン３１の一端部がピン係止凹部６６から外れ、押し込み力を抜くと、圧縮ばね３２により他方の摺動溝６５を通りもとのスタート点６７に戻って、図５（ｂ−１）のように電極１６と第１カード用コンタクト２６の接続から外れる。
同時に、スペーサ２８がスペーサ用ばね２９によりもとの位置に戻され、また、開閉端子３３と開閉端子３４がもとの位置へ戻される。
【００３０】
（２−２）第１のＩＣカード１１の異常（電極１６が裏返し）状態での挿入
第１のＩＣカード１１を異常（電極１６が上向き）状態でＩＣカード用コネクタのカード挿入口３６へ挿入しようとすると、第１のＩＣカード１１の広幅の側縁部１７と狭幅の側縁部１８が逆のため、誤挿入防止段部３７のあるカード挿入口３６へ挿入することはできない。
【図面の簡単な説明】
【００３１】
【図１】本発明によるＩＣカード用コネクタの一実施例を示すもので、カバー３５を外した平面図である。
【図２】図１におけるハウジング２５とカバー３５の分解斜視図で、これらのうち、カバー３５は裏返した状態を示すものある。
【図３】（ａ）は、ロック用スライダ３０，ロックピン３１、圧縮ばね３２の分解斜視図、（ｂ）は、スペーサ２８とスペーサ用ばね２９の分解斜視図、（ｃ）は、開閉端子３３と開閉端子３４の分解斜視図である。
【図４】（ａ−１）は、幅の狭い第２のＩＣカード１２の平面図、（ａ−２）は、同じく正面図、（ｂ−１）は、幅の広い第１のＩＣカード１１の平面図、（ｂ−２）は、同じく左側面図、（ｂ−３）は、同じく正面図、（ｂ−４）は、同じく（ｂ−４）−（ｂ−４）線断面図である。
【図５】（ａ−１）は、第２のＩＣカード１２の挿入直後の断面図、（ａ−２）は、第２のＩＣカード１２の挿入完了時の断面図、（ｂ−１）は、第１のＩＣカード１１の挿入直後の断面図、（ｂ−２）は、第１のＩＣカード１１の挿入完了時の断面図である。
【図６】（ａ）は、幅の狭い第２のＩＣカード１２の挿入時に開閉端子３３と開閉端子３４が接続している状態を示す説明図、（ｂ）は、幅の広い第１のＩＣカード１１の挿入時に開閉端子３３と開閉端子３４が接続していない状態を示す説明図である。
【図７】（ａ）は、第２のＩＣカード１２の正常時と裏返し時の挿入時状態を示す底部側から見た説明図、（ｂ）は、第１のＩＣカード１１の正常時の挿入時状態を示す説明図である。
【図８】従来のＩＣカード用コネクタを示すカバーを除いた平面図である。
【符号の説明】
【００３２】
１…挿入終了判別端子、２…凸部、３…溝、４…挿入終了判別端子、１５…凸部、６…ストッパ、１０…ハウジング、１１…第１のＩＣカード、１２…第２のＩＣカード、１３…カード挿入口、１４…案内段差、１５…ＩＣコンタクト、１６…電極、１７…広幅の側縁部、１８…狭幅の側縁部、１９…先端部、２０…電極、２１…細幅部、２２…先端部、２３…切り欠き、２４…切り欠き、２５…ハウジング、２６…第１カード用コンタクト、２７…第２カード用コンタクト、２８…スペーサ、２９…スペーサ用ばね、３０…ロック用スライダ、３１…ロックピン、３２…圧縮ばね、３３…開閉端子、３４…開閉端子、３５…カバー、３６…カード挿入口、３７…誤挿入防止段部、３８…底板部、３９…コンタクト差し込み溝、４０…背板部、４１…コンタクト差し込み溝、４２…天板部、４３…切り欠き部、４４…左側板部、４５…端子挿入溝、４６…端子挿入溝、４７…右側板部、４８…スライダ嵌合溝、４９…ロックピン挿入孔、５０…スライダ係合突部、５１…スペーサガイド溝、５２…ばね係合孔、５３…係止突部、５４…天板部、５５…左側板部、５６…右側板部、５７…ガイド板部、５８…位置修正部、５９…ガイド部、６０…ガイド部、６１…逃げ孔、６２…押圧ばね部、６３…逃げ孔、６４…切り溝、６５…摺動溝、６６…ピン係止凹部、６７…スタート点、６８…係合凹部、６９…ハートカム、７０…係止突片部、７１…係止部、７２…係止部、７３…コンタクト受け部、７４…ばね嵌合突部、７５…傾斜面部、７６…当接部、７７…摺動突条部、７８…ばね係止溝、７９…両端部、８０…中央部、８１…係止片部、８２…接触可動片、８３…接触可動片、８４…係止片部、８５…可動片、８６…接触部、８７…押圧部、８８…端子片、８９…端子片、９０…圧入片、９１…スイッチ。
【図１】
2008021510.tif 000003
【図２】
2008021510.tif 000004
【図３】
2008021510.tif 000005
【図４】
2008021510.tif 000006
【図５】
2008021510.tif 000007
【図６】
2008021510.tif 000008
【図７】
2008021510.tif 000009
【図８】
2008021510.tif 000010